(57)【要約】【課題】  通信システムにおいて、複数の通信サービスの支援のために通信モードの切換が可能な多重モード移動端末機とその位置情報を用いた通信サービス切換方法を提供する。【解決手段】  各種の通信システムが混在する通信環境において多重モード移動端末機が自分の位置情報を用いて最適の通信サービスに切り換えるようにする方法とその多重モード移動端末機を提供する。複数の異なる通信モードにおいて動作する多重モード移動端末機が、自分の位置を獲得する段階と、前記多重モード移動端末機が、自分の前記位置に基づく通信モードにおいて動作する段階とを備えることを特徴とする、位置情報を用いた通信サービス切換方法を提供する。【選択図】  図４
2006014317.tif 000002
【特許請求の範囲】
【請求項１】
複数の異なる通信モードにおいて動作する多重モード移動端末機が、自分の位置を獲得する段階と、
前記多重モード移動端末機が、自分の前記位置に基づく通信モードにおいて動作する段階と、
を備えることを特徴とする、位置情報を用いた通信サービス切換方法。
【請求項２】
複数領域のそれぞれに対してより優勢な通信モードをあらかじめ設定する段階をさらに備えることを特徴とする請求項１に記載の、位置情報を用いた通信サービス切換方法。
【請求項３】
前記多重モード移動端末機が、前記獲得した位置に該当する優勢な通信モードを選択し、前記多重モード移動端末機が、前記選択された優勢な通信モードにおいて動作することを特徴とする請求項２に記載の、位置情報を用いた通信サービス切換方法。
【請求項４】
前記多重モード移動端末機の現在動作中の通信モードが、前記選択された通信モードと異なる場合に、前記多重モード移動端末機が、現在動作中の通信モードを前記選択された通信モードに切り換えることを特徴とする請求項３に記載の、位置情報を用いた通信サービス切換方法。
【請求項５】
前記多重モード移動端末機が、現在動作中の通信モードを前記位置に基づく他の通信モードに切り換えた場合に、所定時間の間、前記通信モードの切換が禁じられることを特徴とする請求項１に記載の、位置情報を用いた通信サービス切換方法。
【請求項６】
前記多重モード移動端末機が、自分の位置に該当する情報をＧＰＳ（Ｇｌｏｂａｌ  Ｐｏｓｉｔｉｏｎｉｎｇ  Ｓｅｒｖｉｃｅ）衛星から受信することを特徴とする請求項１に記載の、位置情報を用いた通信サービス切換方法。
【請求項７】
前記多重モード移動端末機が、自分の位置に対する情報を、受信信号の強度、到達時間（Ｔｉｍｅ  ｏｆ  Ａｒｒｉｖａｌ：ＴＯＡ）、到達時間差（Ｔｉｍｅ  Ｄｉｆｆｅｒｅｎｃｅ  ｏｆ  Ａｒｒｉｖａｌ：ＴＤＯＡ）及び到達角（Ａｎｇｌｅ  ｏｆ  Ａｒｒｉｖａｌ：ＡＯＡ）のうち少なくとも一つを用いて計算することを特徴とする請求項１に記載の、位置情報を用いた通信サービス切換方法。
【請求項８】
複数の異なる通信モードにおいて動作する多重モード移動端末機が、自分のデータベースに各位置別優勢な通信方式が設定された位置別通信方式の情報をあらかじめ格納する段階と、
前記多重モード移動端末機が、自分の位置を獲得する段階と、
前記データベースから獲得した位置に該当する通信方式を選択する段階と、
前記多重モード移動端末機が前記選択された通信方式に切り換える段階と、
を備えることを特徴とする、位置情報を用いた通信サービス切換方法。
【請求項９】
前記多重モード移動端末機が、前記切り換えられた通信方式を支援する基地局と通信することを特徴とする請求項８に記載の、位置情報を用いた通信サービス切換方法。
【請求項１０】
各位置別優勢な通信方式が設定された位置別通信方式の情報を格納するデータベースと、
信号の送受信のための送受信回路と、
前記データベースに格納された位置別通信方式の情報に基づいて前記送受信回路の動作を制御するホストプロセッサーと、
を備えてなることを特徴とする多重モード移動端末機。
【請求項１１】
前記多重モード移動端末機の位置を獲得するために外部のＧＰＳ（Ｇｌｏｂａｌ  Ｐｏｓｉｔｉｏｎｉｎｇ  Ｓｅｒｖｉｃｅ）衛星から位置情報を受信する位置情報受信回路をさらに備えることを特徴とする請求項１０に記載の多重モード移動端末機。
【請求項１２】
前記ホストプロセッサーは、前記送受信回路から受信される受信信号の強度、前記受信信号の到達時間（Ｔｉｍｅ  ｏｆ  Ａｒｒｉｖａｌ：ＴＯＡ）、前記受信信号の到達時間差（Ｔｉｍｅ  Ｄｉｆｆｅｒｅｎｃｅ  ｏｆ  Ａｒｒｉｖａｌ：ＴＤＯＡ）、及び前記受信信号の到達角（Ａｎｇｌｅ  ｏｆ  Ａｒｒｉｖａｌ：ＡＯＡ）のうち少なくとも一つを用いて前記多重モード移動端末機の位置を計算することを特徴とする請求項１０に記載の多重モード移動端末機。
【請求項１３】
前記ホストプロセッサーは、前記多重モード移動端末機の位置を獲得した後に、前記獲得した位置に該当する優勢な通信方式を前記データベースから検索することを特徴とする請求項１０に記載の多重モード移動端末機。
【請求項１４】
前記ホストプロセッサーは、前記送受信回路が前記優勢な通信方式において動作するように制御することを特徴とする請求項１３に記載の多重モード移動端末機。
【請求項１５】
前記多重モード移動端末機が、前記現在獲得した位置に該当する優勢な通信方式において動作しない場合に、前記ホストプロセッサーは、前記送受信回路が前記獲得した位置に該当する優勢な通信方式に切り換えるように制御することを特徴とする請求項１４に記載の多重モード移動端末機。
【請求項１６】
前記送受信回路が、前記優れた通信モードに切り換えられる時点で駆動を始めるタイマーをさらに備えることを特徴とする請求項１５に記載の多重モード移動端末機。
【請求項１７】
前記タイマーが駆動を始めた時間から所定時間の間、前記送受信回路の通信モード切換が禁じられることを特徴とする請求項１６に記載の多重モード移動端末機。
【発明の詳細な説明】
【技術分野】
【０００１】
本発明は、通信システムに係り、特に、複数の通信サービスの支援のために通信モードの切換（Ｔｒｉｇｇｅｒｉｎｇ）が可能な多重モード移動端末機とその位置情報を用いた通信サービス切換方法に関する。
【背景技術】
【０００２】
現在構築された通信環境は、単一の通信システムだけが存在するのではなく、複数の通信システムが混在しており、これは、複数の異なる通信サービスが提供されることを意味する。
【０００３】
例えば、広範囲な地域ではコード分割多重接続方式（Ｃｏｄｅ  ｄｉｖｉｓｉｏｎ  ｍｕｌｔｉｐｌｅ  ａｃｃｅｓｓ；以下、‘ＣＤＭＡ’と略す。）の通信サービスと、ヨーロッパ型移動通信方式（Ｇｌｏｂａｌ  ｓｙｓｔｅｍ  ｆｏｒ  ｍｏｂｉｌｅ  ｃｏｍｍｕｎｉｃａｔｉｏｎ；以下、‘ＧＳＭ’と略す。）の通信サービスが共に提供される場合がある。
【０００４】
また、ＣＤＭＡ通信サービスと次世代通信サービスである広帯域−ＣＤＭＡ（Ｗｉｄｅ  ｂａｎｄ−ＣＤＭＡ；以下、‘Ｗ−ＣＤＭＡ’と略す。）通信サービスが共に提供される例もある。
【０００５】
このように複数の通信システムが混在する通信環境に適するように、多重モード移動端末機が開発された。
【０００６】
多重モード移動端末機は、異なる複数の通信方式に該当する周波数帯域を使用することができるため、特定通信システムが支援する通信方式から他の通信システムが支援する通信方式へ切り換えるローミング（ｒｏａｍｉｎｇ）機能を有する。
【０００７】
また、多重モード移動端末機は、ローミングのために通信モードを切り換えるに当たって自動切換方式及び／または手動切換方式を採択する。
【０００８】
自動切換方式の多重モード移動端末機は、基地局信号の受信有無によって移動端末機自体でサービス方式（通信方式）を切り換える。前述または後述の基地局信号は、電磁波強度、通信パラメータまたは基地局固有の識別子（ＩＤ）などを含む。
【０００９】
これに対し、手動切換方式の多重モード移動端末機は、移動端末機使用者の直接操作によってサービス方式（通信方式）を切り換える。
【００１０】
これら２種類の切換方式については、ＣＤＭＡ通信方式及びＧＳＭ通信方式を使用できる多重モード移動端末機を例に挙げて以下に詳細に説明する。
【００１１】
図１は、従来技術において通信サービスの自動切換方式を示すフローチャートである。
【００１２】
図１を参照すると、いったん、多重モード移動端末機がＣＤＭＡ基地局と通信するＣＤＭＡ通信モードにおいて動作すると仮定する（ステップＳ１）。
【００１３】
多重モード移動端末機は、ＣＤＭＡ基地局から信号が入力される否か確認し続ける（ステップＳ２）。
【００１４】
ＣＤＭＡ基地局から信号が入力されると、多重モード移動端末機は、継続してＣＤＭＡ基地局と通信するＣＤＭＡ通信モードを維持する。
【００１５】
一方、ＣＤＭＡ基地局から信号が入力されないことが確認されると、多重モード移動端末機は、通信方式を切り換える（ステップＳ３）。すなわち、多重モード移動端末機は、ＣＤＭＡ信号が入力されないと、現在の通信モードをＧＳＭ通信モードに切り換える。
【００１６】
こうして多重モード移動端末機はＧＳＭ基地局と通信する（Ｓ４）。
【００１７】
その後、多重モード移動端末機は、ＧＳＭ基地局から信号が入力されるか否かを確認し続ける（Ｓ５）。
【００１８】
ＧＳＭ基地局から信号が入力されると、多重モード移動端末機は、継続してＧＳＭ基地局と通信するＧＳＭ通信モードを維持する。
【００１９】
一方、ＧＳＭ基地局から信号が入力されないことが確認されると、多重モード移動端末機は、通信方式を切り換える（ステップＳ６）。すなわち、多重モード移動端末機はＧＳＭ信号が入力されないと、現在の通信モードをＣＤＭＡ通信モードに切り換え、ＣＤＭＡ基地局と通信するステップＳ１に戻る。
【００２０】
図２は、従来技術において通信サービスの手動切換方式を示すフローチャートである。
【００２１】
図２を参照すると、いったん、多重モード移動端末機がＣＤＭＡ基地局と通信するＣＤＭＡ通信モードにおいて動作すると仮定する（ステップＳ１０）。
【００２２】
また、多重モード移動端末機の使用者が異なる地域へ移動した状態であり、その使用者が、移動した地域の通信方式をあらかじめ知っていると仮定する。一例に、使用者がＣＤＭＡ通信モードにおいて動作する多重モード移動端末機を携帯してＡ地域からＢ地域へ移動したと仮定し、また、その使用者はＢ地域の通信モードがＧＳＭであることをあらかじめ知っていると仮定する。
【００２３】
この場合、使用者は、多重モード移動端末機を直接操作して移動したＢ地域の通信方式を選択しなければならない。
【００２４】
多重モード移動端末機は、使用者により通信方式が選択されたか否かを確認する（Ｓ１１）。すなわち、現在はＣＤＭＡ通信方式であるから、多重モード移動端末機は、使用者がＧＳＭ通信方式を選択したか否か確認する。
【００２５】
もし、使用者がＢ地域の通信方式を選択したことが確認されると、多重モード移動端末機は、使用者により選択された通信モードにおいて動作する。
【００２６】
例えば、上に述べたように、Ｂ地域へ移動した使用者がＧＳＭ通信方式を選択すると、多重モード移動端末機は、ＧＳＭ通信モードにおいて動作し、ＧＳＭ基地局と通信する。
【００２７】
要するに、多重モード移動端末機は、使用者により選択されたＧＳＭ通信方式を支援するＧＳＭ基地局にローミングする（ステップＳ１２）。
【００２８】
その後にも使用者は多重モード移動端末機を直接操作して通信方式を選択しなければならない。
【００２９】
したがって、多重モード移動端末機は、使用者により通信方式が選択されたか否かを確認する（ステップＳ１３）。すなわち、現在はＧＳＭ通信方式にローミングした状態であるので、多重モード移動端末機は、使用者がＣＤＭＡ通信方式を選択するか否かを確認する。
【００３０】
もし、使用者が他の通信方式を選択すると、多重モード移動端末機は、使用者により選択された通信モードにおいて動作する。
【００３１】
上記の一例におけるように、Ｂ地域へ移動した使用者が再びＡ地域へ戻ってＣＤＭＡ通信方式を選択すると、多重モード移動端末機は、ＣＤＭＡ通信モードにおいて動作し、ＣＤＭＡ基地局と通信する。
【００３２】
要するに、多重モード移動端末機は、使用者により選択されたＣＤＭＡ通信方式を支援するＣＤＭＡ基地局にローミングする（ステップＳ１４）。
【００３３】
上述した如く、従来技術において多重モード移動端末機は、ローミングする通信方式を選択するに当たり、基地局信号を受信可能な通信方式に切り換える。
【００３４】
一般に、多重モード移動端末機は、上述した自動切換方式と手動切換方式を混用する。すなわち、基地局信号の受信有無によって通信モードを自動切換する一方で、使用者による通信モード選択も受容する。
【００３５】
しかしながら、従来、多重モード移動端末機が基地局信号を受信し難い場所、例えば地下や陰影地域に位置する場合に、多重モード移動端末機は支援可能な通信モードのうちいずれか一つを選択するために通信モード切換（Ｔｒｉｇｇｅｒｉｎｇ）動作を頻繁に行うという問題点があった。これは、多重モード移動端末機が自動切換方式を採用しているためである。
【００３６】
例えば、従来の多重モード移動端末機が、ＣＤＭＡ通信モード、Ｗ−ＣＤＭＡ通信モード及びＧＳＭ通信モードにおいて動作可能な端末機であるならば、ＣＤＭＡ基地局信号が受信されるときにはＣＤＭＡ通信モードに自動切り換え、Ｗ−ＣＤＭＡ基地局信号が受信されるときにはＷ−ＣＤＭＡ通信モードに自動切り換え、ＧＳＭ基地局信号が受信されるときにはＧＳＭ通信モードに自動切り換える。
【００３７】
ところで、多重モード移動端末機がＣＤＭＡ基地局信号もＧＳＭ基地局信号も受信可能な地域に位置すると、該多重モード移動端末機では通信モード切換動作が余計に頻繁に発生し、これは使用者の通信において大きな障害となる。
【００３８】
一方、使用者が直接選択した特定通信方式を継続して維持しようとする場合にも、移動端末機が一時的な障害を起こして現在設定された通信モードの基地局信号を受信できないと、他の通信方式の基地局信号を受信するために現在の通信モードを他の通信モードに自動切り換える。これは、使用者の通信モード選択に混乱を招き、さらには現在の通信モードが使用者にはわからないこともある。
【００３９】
一方、従来技術において多重モード移動端末機が手動切換方式を採択する場合にも、使用者が通信モードを誤って選択する恐れがある。すなわち、多重モード移動端末機の使用者は、各地域に最も適する通信方式が正確にわからない。そのため、使用者は通信モードをいったん選択すると、現在移動した地域と自分が選択した通信モードが合わないもかかわらず、以前に選択した通信モードを継続して維持する。この結果、使用者の移動端末には、現在移動地域に最も適する通信方式が支援されず、円滑な通信ができない。そして、多重モード移動端末機は現在選択した通信モードにおいて動作し続くため、基地局信号を受信できない場合もあり、さらには通信断絶につながることもありうる。
【００４０】
例えば、ＧＳＭ通信モードにおいて動作中の多重モード移動端末機が、ＣＤＭＡ通信方式の地域へ移動したと仮定する。もし、使用者が、現在地域がＣＤＭＡ通信方式を使用する地域であることがわからないと、多重モード移動端末機は、続いて受信不可能なＧＳＭ基地局信号を受信しようと試みる。結局として多重モード移動端末機は現在移動したＣＤＭＡ通信方式の地域で通信できなくなる。
【発明の開示】
【発明が解決しようとする課題】
【００４１】
本発明は上記の問題点を解決するためのもので、その目的は、複数の通信システムが混在する通信環境において多重モード移動端末機が自分の位置情報を用いて最適の通信サービスに切り換えるようにする方法とその多重モード移動端末機を提供することにある。
【課題を解決するための手段】
【００４２】
上記目的を達成するために、本発明に係る位置情報を用いた通信サービス切換方法の第１特徴は、複数の異なる通信モードにおいて動作する多重モード移動端末機が、自分の位置を獲得する段階と、前記多重モード移動端末機が、自分の前記位置に基づく通信モードにおいて動作する段階と、を備えることである。
【００４３】
より好ましくは、本発明の位置情報を用いた通信サービス切換方法は、複数領域のそれぞれに対してより優勢な通信モードをあらかじめ設定する段階をさらに備える。ここで、前記多重モード移動端末機が、前記獲得した位置に該当する優勢な通信モードを選択し、前記多重モード移動端末機が、前記選択された優勢な通信モードにおいて動作する。より詳細に、前記多重モード移動端末機の現在動作中の通信モードが、前記選択された通信モードと異なる場合に、前記多重モード移動端末機が、現在動作中の通信モードを前記選択された通信モードに切り換える。
【００４４】
より好ましくは、前記多重モード移動端末機が、現在動作中の通信モードを前記位置に基づく他の通信モードに切り換えた場合に、所定時間の間、前記通信モードの切換が禁じられる。
【００４５】
より好ましくは、前記多重モード移動端末機が、自分の位置に該当する情報をＧＰＳ衛星から受信する。
【００４６】
より好ましくは、前記多重モード移動端末機が、自分の位置に対する情報を、受信信号の強度、到達時間、到達時間差及び到達角のうち少なくとも一つを用いて計算する。
【００４７】
上記目的を達成するために、本発明に係る位置情報を用いた通信サービス切換方法の第２特徴は、複数の異なる通信モードにおいて動作する多重モード移動端末機が、自分のデータベースに各位置別優勢な通信方式が設定された位置別通信方式の情報をあらかじめ格納する段階と、前記多重モード移動端末機が、自分の位置を獲得する段階と、
前記データベースから獲得した位置に該当する通信方式を選択する段階と、前記多重モード移動端末機が前記選択された通信方式に切り換える段階と、を備えることである。
【００４８】
より好ましくは、前記多重モード移動端末機が、前記切り換えられた通信方式を支援する基地局と通信する。
【００４９】
上記目的を達成するために、本発明に係る多重モード移動端末機の特徴は、各位置別優勢な通信方式が設定された位置別通信方式の情報を格納するデータベースと、信号の送受信のための送受信回路と、前記データベースに格納された位置別通信方式の情報に基づいて前記送受信回路の動作を制御するホストプロセッサーと、を備えてなることである。
【００５０】
より好ましくは、前記多重モード移動端末機の位置を獲得するために外部のＧＰＳ衛星から位置情報を受信する位置情報受信回路をさらに備える。
【００５１】
より好ましくは、前記ホストプロセッサーは、前記送受信回路から受信される受信信号の強度、前記受信信号の到達時間、前記受信信号の到達時間差、及び前記受信信号の到達角のうち少なくとも一つを用いて前記多重モード移動端末機の位置を計算する。
【００５２】
より好ましくは、前記ホストプロセッサーは、前記多重モード移動端末機の位置を獲得した後に、前記獲得した位置に該当する優勢な通信方式を前記データベースから検索する。ここで、前記ホストプロセッサーは、前記送受信回路が前記優勢な通信方式において動作するように制御する。特に、前記多重モード移動端末機が、前記現在獲得した位置に該当する優勢な通信方式において動作しない場合に、前記ホストプロセッサーは、前記送受信回路が前記獲得した位置に該当する優勢な通信方式に切り換えるように制御する。そして、本発明の多重モード移動端末機は、前記送受信回路が、前記優れた通信モードに切り換えられる時点で駆動を始めるタイマーをさらに備え、前記タイマーが駆動を始めた時間から所定時間の間、前記送受信回路の通信モード切換が禁じられる。
【００５３】
上記目的を達成するために、本発明は、例えば、以下の手段を提供する。
（項目１）
複数の異なる通信モードにおいて動作する多重モード移動端末機が、自分の位置を獲得する段階と、
前記多重モード移動端末機が、自分の前記位置に基づく通信モードにおいて動作する段階と、
を備えることを特徴とする、位置情報を用いた通信サービス切換方法。
（項目２）
複数領域のそれぞれに対してより優勢な通信モードをあらかじめ設定する段階をさらに備えることを特徴とする項目１に記載の、位置情報を用いた通信サービス切換方法。
（項目３）
前記多重モード移動端末機が、前記獲得した位置に該当する優勢な通信モードを選択し、前記多重モード移動端末機が、前記選択された優勢な通信モードにおいて動作することを特徴とする項目２に記載の、位置情報を用いた通信サービス切換方法。
（項目４）
前記多重モード移動端末機の現在動作中の通信モードが、前記選択された通信モードと異なる場合に、前記多重モード移動端末機が、現在動作中の通信モードを前記選択された通信モードに切り換えることを特徴とする項目３に記載の、位置情報を用いた通信サービス切換方法。
（項目５）
前記多重モード移動端末機が、現在動作中の通信モードを前記位置に基づく他の通信モードに切り換えた場合に、所定時間の間、前記通信モードの切換が禁じられることを特徴とする項目１に記載の、位置情報を用いた通信サービス切換方法。
（項目６）
前記多重モード移動端末機が、自分の位置に該当する情報をＧＰＳ（Ｇｌｏｂａｌ  Ｐｏｓｉｔｉｏｎｉｎｇ  Ｓｅｒｖｉｃｅ）衛星から受信することを特徴とする項目１に記載の、位置情報を用いた通信サービス切換方法。
（項目７）
前記多重モード移動端末機が、自分の位置に対する情報を、受信信号の強度、到達時間（Ｔｉｍｅ  ｏｆ  Ａｒｒｉｖａｌ：ＴＯＡ）、到達時間差（Ｔｉｍｅ  Ｄｉｆｆｅｒｅｎｃｅ  ｏｆ  Ａｒｒｉｖａｌ：ＴＤＯＡ）及び到達角（Ａｎｇｌｅ  ｏｆ  Ａｒｒｉｖａｌ：ＡＯＡ）のうち少なくとも一つを用いて計算することを特徴とする項目１に記載の、位置情報を用いた通信サービス切換方法。
（項目８）
複数の異なる通信モードにおいて動作する多重モード移動端末機が、自分のデータベースに各位置別優勢な通信方式が設定された位置別通信方式の情報をあらかじめ格納する段階と、
前記多重モード移動端末機が、自分の位置を獲得する段階と、
前記データベースから獲得した位置に該当する通信方式を選択する段階と、
前記多重モード移動端末機が前記選択された通信方式に切り換える段階と、
を備えることを特徴とする、位置情報を用いた通信サービス切換方法。
（項目９）
前記多重モード移動端末機が、前記切り換えられた通信方式を支援する基地局と通信することを特徴とする項目８に記載の、位置情報を用いた通信サービス切換方法。
（項目１０）
各位置別優勢な通信方式が設定された位置別通信方式の情報を格納するデータベースと、
信号の送受信のための送受信回路と、
前記データベースに格納された位置別通信方式の情報に基づいて前記送受信回路の動作を制御するホストプロセッサーと、
を備えてなることを特徴とする多重モード移動端末機。
（項目１１）
前記多重モード移動端末機の位置を獲得するために外部のＧＰＳ（Ｇｌｏｂａｌ  Ｐｏｓｉｔｉｏｎｉｎｇ  Ｓｅｒｖｉｃｅ）衛星から位置情報を受信する位置情報受信回路をさらに備えることを特徴とする項目１０に記載の多重モード移動端末機。
（項目１２）
前記ホストプロセッサーは、前記送受信回路から受信される受信信号の強度、前記受信信号の到達時間（Ｔｉｍｅ  ｏｆ  Ａｒｒｉｖａｌ：ＴＯＡ）、前記受信信号の到達時間差（Ｔｉｍｅ  Ｄｉｆｆｅｒｅｎｃｅ  ｏｆ  Ａｒｒｉｖａｌ：ＴＤＯＡ）、及び前記受信信号の到達角（Ａｎｇｌｅ  ｏｆ  Ａｒｒｉｖａｌ：ＡＯＡ）のうち少なくとも一つを用いて前記多重モード移動端末機の位置を計算することを特徴とする項目１０に記載の多重モード移動端末機。
（項目１３）
前記ホストプロセッサーは、前記多重モード移動端末機の位置を獲得した後に、前記獲得した位置に該当する優勢な通信方式を前記データベースから検索することを特徴とする項目１０に記載の多重モード移動端末機。
（項目１４）
前記ホストプロセッサーは、前記送受信回路が前記優勢な通信方式において動作するように制御することを特徴とする項目１３に記載の多重モード移動端末機。
（項目１５）
前記多重モード移動端末機が、前記現在獲得した位置に該当する優勢な通信方式において動作しない場合に、前記ホストプロセッサーは、前記送受信回路が前記獲得した位置に該当する優勢な通信方式に切り換えるように制御することを特徴とする項目１４に記載の多重モード移動端末機。
（項目１６）
前記送受信回路が、前記優れた通信モードに切り換えられる時点で駆動を始めるタイマーをさらに備えることを特徴とする項目１５に記載の多重モード移動端末機。
（項目１７）
前記タイマーが駆動を始めた時間から所定時間の間、前記送受信回路の通信モード切換が禁じられることを特徴とする項目１６に記載の多重モード移動端末機。
【発明の効果】
【００５４】
本発明によれば、複数の通信システムが混在する通信環境において、多重モード移動端末機が基地局信号の受信が不都合な場所、つまり、地下や陰影地域に位置する場合にも円滑な通信サービスが可能になる。
【００５５】
また、本発明によれば、基地局信号の受信有無に関わらずに多重モード移動端末機の現在位置に基づいてより優勢な通信方式に切り換えるようにしたため、基地局信号を受信できない場合にも使用者により安定した通信サービスを提供することが可能になる。
【００５６】
また、本発明によれば、タイマーの駆動を用いて通信方式（＝通信モード）の切換が頻繁に起こるのを防ぐため、より安定した通信サービスを提供することが可能になる。
【発明を実施するための最良の形態】
【００５７】
以下、本発明の好適な実施形態構について、添付の図面に基づいて詳細に説明する。図面及び以下に説明される本発明の構成及び作用は一例に過ぎず、これによって本発明の技術的思想とその核心構成及び作用が制限されるのではない。
【００５８】
本発明の移動端末機は、多重モード移動端末機である。
【００５９】
そして、多重モード移動端末機は、次の３通りの方式を用いて自分の位置を獲得する。ただし、本発明において多重モード移動端末機の位置獲得方式が下記の３通りの方式に限定されるのではない。
【００６０】
第一に、多重モード移動端末機が位置情報をＧＰＳ（Ｇｌｏｂａｌ  Ｐｏｓｉｔｉｏｎｉｎｇ  Ｓｙｓｔｅｍ）衛星から受信し、この受信した位置情報から自分の現在位置を獲得する。このため、本発明の多重モード移動端末機は位置情報受信機を内蔵する。
【００６１】
第二に、多重モード移動端末機が自体的に自分の位置を獲得する。このとき、多重モード移動端末機は、受信信号の強度、受信信号の到達時間（Ｔｉｍｅ  ｏｆ  Ａｒｒｉｖａｌ：ＴＯＡ）、受信信号の到達時間差（Ｔｉｍｅ  Ｄｉｆｆｅｒｅｎｃｅ  ｏｆ  Ａｒｒｉｖａｌ：ＴＤＯＡ）、そして受信信号の到達角（Ａｎｇｌｅ  ｏｆ  Ａｒｒｉｖａｌ：ＡＯＡ）などのパラメータを用いて自分の位置を計算する。
【００６２】
第三に、多重モード移動端末機は、ＧＰＳ衛星から位置情報を受信して自分の現在位置を獲得したり、ＧＰＳ衛星から位置情報を受信できない所に位置するときには、受信信号の各種パラメータを用いて自分の位置を計算する。すなわち、前述の第一の方式と第二の方式を組み合わせて自分の位置を獲得する。
【００６３】
図３ａは、本発明において位置座標による位置インデックス設定例を示す図であり、図３ｂは、図３ａの位置インデックスを用いた通信方式データベースの構築例を示す図である。
【００６４】
図３ａ及び図３ｂを参照すると、本発明では、複数の通信システムが混在する環境、つまり、複数の異なる通信サービスが提供される地域を、図３ａに示すような座標で区分する。
【００６５】
そして、これら座標で区分される領域別に一つの位置インデックスを設定し、各位置インデックス別により優勢な通信方式を設定する。ここで、各位置インデックス別に設定される通信方式は、複数回の実験により設定され、通信環境によって特定位置インデックスの通信方式は変更される。また、一つの位置インデックスに該当する領域にはより優勢な通信方式が設定されたとしても、より劣る通信方式も支援される。
【００６６】
例えば、図３ａの位置インデックス“１”から“６”に該当する通信領域においてＣＤＭＡ通信方式及びＧＳＭ通信方式が両方とも支援されると仮定する。このとき、位置インデックス“１”に該当する領域においてＧＳＭ通信方式よりもＣＤＭＡ通信方式がより優れた品質を示すと、その位置インデックス“１”の通信方式はＣＤＭＡに設定する。また、位置インデックス“４”に該当する領域においてＣＤＭＡ通信方式よりもＧＳＭ通信方式がより優れた品質を示すと、その位置インデックス“４”の通信方式はＧＳＭに設定する。
【００６７】
一方、図３ａには、４つの座標で一つの領域を区分する例が示されているが、３つの座標で一つの領域を区分したり、それ以外の複数の座標で一つの領域を区分するように設定しても良い。
【００６８】
そして、多重モード移動端末機は、図３ｂに示す情報をデータベースとして保有する。
【００６９】
したがって、多重モード移動端末機が自分の位置を把握すると、その位置が図３ａのどの座標範囲に該当するかがわかり、後で多重モード移動端末機はその座標範囲に該当する位置インデックスの通信方式をデータベースから獲得する。これにより、多重モード移動端末機は、必要な場合に現在の通信方式を手動または自動で変更する。ここで、必要な場合とは、多重モード移動端末機が使用している通信方式が現在自分の位置に基づいて獲得した通信方式と異なる場合のことを言う。
【００７０】
次に、図３ａないし図３ｂに基づいて多重モード移動端末機が現在位置情報を用いて自分の通信方式を切り換える手順についての様々な例を説明する。
【００７１】
図４は、本発明の第１実施形態による位置情報を用いた通信方式切換手順を示すフローチャートであり、通信サービスの自動切換方式を例に挙げている。
【００７２】
図４を参照すると、現在、多重モード移動端末機は、第１基地局と通信している状態である。このとき、多重モード移動端末機は現在自分の位置を獲得する（ステップＳ２０）。ここで、位置獲得は、ＧＰＳ衛星から位置情報を受信する場合も、受信信号の各種パラメータを利用する場合も可能である。これについては既に述べたし、以下、図５ないし図７にも同様に適用される。したがって、図５ないし図７では、上述した多重モード移動端末機の位置獲得についての別途説明は省略する。
【００７３】
多重モード移動端末機は、現在獲得した自分の位置においてより優勢な通信方式を探す。すなわち、多重モード移動端末機は、現在獲得した自分の位置に基づいて位置別通信方式の設定情報を格納しているデータベースを検索する（ステップＳ２１）。
【００７４】
このとき、多重モード移動端末機は、データベースから検索された通信方式、つまり、自分の位置に該当する通信方式が第１基地局の通信方式と一致するか比較する（ステップＳ２２）。ここで、第１基地局の通信方式は、多重モード移動端末機が現在使用する通信方式である。
【００７５】
もし、データベースから検索された通信方式が、第１基地局の通信方式と一致しないと、多重モード移動端末機は、使用していた通信方式を現在自分の位置に該当する通信方式（データベースから検索された通信方式）に切り換える（ステップＳ２３）。
【００７６】
続いて、多重モード移動端末機は、切り換えられた通信方式を支援する第２基地局にローミング（Ｒｏａｍｉｎｇ）する（ステップＳ２４）。すなわち、多重モード移動端末機は、第１基地局との通信を終了すると同時に、切り換えられた通信方式を支援する第２基地局と通信する。
【００７７】
一方、データベースから検索された通信方式が、第１基地局の通信方式と一致すると、多重モード移動端末機はステップＳ２０に戻り、第１基地局との通信を維持するとともに、自分の位置獲得のための動作を続ける。
【００７８】
図５は、本発明の第２実施形態による位置情報を用いた通信方式切換手順を示すフローチャートであり、通信サービスの手動切換方式を例に挙げている。
【００７９】
図５を参照すると、現在多重モード移動端末機は第１基地局と通信している状態である。このとき、多重モード移動端末機は現在自分の位置を獲得する（ステップＳ３０）。
【００８０】
多重モード移動端末機は、現在獲得した自分の位置においてより優勢な通信方式を探す。すなわち、多重モード移動端末機は、現在獲得した自分の位置を用いて位置別通信方式の設定情報を格納しているデータベースを検索する（ステップＳ３１）。
【００８１】
このとき、多重モード移動端末機は、データベースから検索された通信方式、つまり、自分の位置に該当する通信方式が、第１基地局の通信方式と一致するか比較する（ステップＳ３２）。ここで、第１基地局の通信方式は多重モード移動端末機が現在使用する通信方式である。
【００８２】
もし、データベースから検索された通信方式が第１基地局の通信方式と一致しないと、多重モード移動端末機は、現在自分の位置に該当する通信方式（データベースから検索された通信方式）をウィンドウ（Ｗｉｎｄｏｗ）にディスプレイする（ステップＳ３３）。
【００８３】
その後、多重モード移動端末機は、使用者がデータベースから検索された通信方式を選択するか否か確認する（ステップＳ３４）。
【００８４】
もし、使用者が現在自分の位置に該当する通信方式（データベースから検索された通信方式）を選択すると、多重モード移動端末機は、現在使用した通信方式を使用者が選択した通信方式に切り換える（現在自分の位置に該当する通信方式＝データベースから検索された通信方式）（ステップＳ３５）。
【００８５】
続いて、多重モード移動端末機は、切り換えられた通信方式を支援する第２基地局にローミングする（ステップＳ３６）。すなわち、多重モード移動端末機は、第１基地局との通信を終了すると同時に、切り換えられた通信方式を支援する第２基地局と通信する。
【００８６】
一方、使用者がデータベースから検索された通信方式を選択しないと、多重モード移動端末機は、ステップＳ３０に戻り、第１基地局との通信を維持するとともに、自分の位置獲得のための動作を続ける。
【００８７】
図６は、本発明の第３実施形態による位置情報を用いた通信方式切換手順を示すフローチャートであり、タイマーを使用する場合における通信サービスの自動切換方式を例に挙げている。
【００８８】
図６を参照すると、現在多重モード移動端末機は、第１通信方式を支援する第１通信方式の第１基地局と通信している状態である。このとき、多重モード移動端末機は、現在自分の位置を追跡する（ステップＳ４０）。
【００８９】
多重モード移動端末機は、現在追跡された自分の位置においてより優勢な通信方式を探す。すなわち、多重モード移動端末機は、現在追跡された自分の位置を用いて位置別通信方式の設定情報を格納しているデータベースを検索する（ステップＳ４１）。
【００９０】
このとき、多重モード移動端末機は、データベースから検索された通信方式、つまり、自分の追跡位置に該当する通信方式が第１通信方式と一致するか否か比較する（ステップＳ４２）。ここで、第１通信方式は、多重モード移動端末機が現在使用する通信方式である。
【００９１】
もし、データベースから検索された通信方式が、第１通信方式と一致しないと、多重モード移動端末機は、使用していた通信方式を、現在自分の追跡位置に該当する通信方式（データベースから検索された通信方式）に切り換える（ステップＳ４３）。このように通信方式が切り換える時点で本発明のタイマーが駆動し始まる。
【００９２】
これにより、多重モード移動端末機は、切り換えられた通信方式を支援する第２通信方式の第２基地局にローミングして第２基地局と通信する。また、現在自分の位置追跡を続ける（ステップＳ４４）。
【００９３】
一方、データベースから検索された通信方式が第１通信方式と一致すると、多重モード移動端末機は、ステップＳ４０に戻り、現在使用中の第１通信方式を維持し、また、自分に対する位置追跡を続ける。
【００９４】
ステッフＳ４４の後、多重モード移動端末機は、再び現在追跡された自分の位置においてより優勢な通信方式を探す。すなわち、多重モード移動端末機は、現在追跡された自分の位置を用いて位置別通信方式の設定情報を格納しているデータベースを検索する（Ｓ４５）。
【００９５】
ここで、多重モード移動端末機は、データベースから検索された通信方式、つまり、自分の追跡位置に該当する通信方式が、現在使用している第２通信方式と一致するか否か比較する（Ｓ４６）。
【００９６】
もし、データベースから検索された通信方式が第２通信方式と一致しないと、多重モード移動端末機は、以前の通信方式切換時に駆動し始まったタイマーが満期されたか否か確認する（ステップＳ４７）。
【００９７】
この結果、データベースから検索された通信方式が第２通信方式と一致しなく、同時にタイマーが満期されたものと確認されると、多重モード移動端末機は、使用していた第１通信方式を、現在自分の追跡位置に該当する第２通信方式（データベースから検索された通信方式）に切り換える（ステップＳ４８）。
【００９８】
このように、本発明では、通信方式の切換があまりにも頻繁に生じるのを防ぐためにタイマーを使用する。したがって、一回の通信方式の切換が起こる時点で駆動し始まったタイマーの設定時間内には、再度通信方式が切り換えられるのが禁じられる。
【００９９】
一方、データベースから検索された通信方式が第２通信方式と一致すると、多重モード移動端末機は、ステップＳ４３に戻って第２通信方式を維持し、また、自分に対する位置追跡を続ける。
【０１００】
図７は、本発明の一実施の形態による多重モード移動端末機の構成を示すブロックダイアグラムである。
【０１０１】
本発明の多重モード移動端末機は、各種の通信方式を支援する複数の通信モードにおいて動作し、したがって、図７に示すように、各通信モードによって動作する通信方式別送受信回路４１〜４３を備える。
【０１０２】
また、多重モード移動端末機は、ＧＰＳ衛星から自分の位置情報を受信する位置情報受信回路３０を備える。
【０１０３】
また、多重モード移動端末機は、図３ａ及び３ｂに示すように各位置別通信方式の設定情報を格納する通信方式データベース１０をさらに備える。
【０１０４】
そして、多重モード移動端末機は、現在自分の位置情報に基づいて通信方式別送受信回路４１〜４３の動作を制御するホストプロセッサー２０を備える。
【０１０５】
このように構成された多重モード移動端末機の通信方式切換動作について説明すると、次の通りになる。位置情報受信回路３０は、ＧＰＳ衛星から多重モード移動端末機の位置情報を受信してホストプロセッサー２０に伝達する。
【０１０６】
ホストプロセッサー２０は、位置情報受信回路３０から送られてきた位置情報を用いて通信方式データベース１０を検索する。すなわち、ホストプロセッサー２０は、入力された位置情報に該当する通信方式を、通信方式データベース１００から探す。
【０１０７】
このとき、ホストプロセッサー２０は、通信方式データベースから検索された通信方式の送受信回路が駆動中であるか否か確認する。
【０１０８】
ホストプロセッサー２０は、通信方式データベースから検索された通信方式の送受信回路が駆動中であると、通信方式の切換動作を遂行しない。
【０１０９】
一方、ホストプロセッサー２０は、通信方式データベースから検索された通信方式の送受信回路が駆動中でないと、該当の通信方式の送受信回路を駆動させる。その後、以前に駆動していた送受信回路は駆動を停止させる。
【０１１０】
例えば、現在第１通信方式送受信回路４１が駆動中であり、通信方式データベースから検索された通信方式が第２通信方式であれば、ホストプロセッサー２０は、いったん第２通信方式送受信回路４２を駆動させ、その後、第１通信方式送受信回路４１の駆動を停止させる。
【０１１１】
また、本発明のホストプロセッサー２０は、あまりにも頻繁な通信方式の切換が発生するのを防ぐために内部タイマーをさらに備え、この内部タイマーの駆動時間内には現在駆動中の送受信回路が他の送受信回路へ切り換えられる動作を禁ずる。
【０１１２】
一方、図７に示す多重モード移動端末機の周波数処理の例には、次の２通りがある。
【０１１３】
１．各通信方式別送受信回路４１〜４３が、高周波周波数（ＲＦ：Ｒａｄｉｏ  Ｆｒｅｑｕｅｎｃｙ）と中間周波数（ＩＦ：Ｉｎｔｅｒｍｅｄｉａｔｅ  Ｆｒｅｑｕｅｎｃｙ）信号を処理する回路を含み、基底帯域周波数（ＢＦ：Ｂａｓｅｂａｎｄ  Ｆｒｅｑｕｅｎｃｙ）信号の処理は、ホストプロセッサー２０で担当する。
【０１１４】
２．各通信方式別送受信回路４１〜４３が、高周波周波数（ＲＦ）、中間周波数（ＩＦ）、基底帯域周波数（ＢＦ）信号の全ての処理を担当する。
【０１１５】
一方、多重モード移動端末機がＧＰＳ衛星から位置情報を受信できない所に位置するとき、ホストプロセッサー２０は、現在駆動中の送受信回路から受信する信号の各種パラメータ（受信信号の強度、受信信号の到達時間（ＴＯＡ）、受信信号の到達時間差（ＴＤＯＡ）、受信信号の到達角（ＡＯＡ）など）を用いて自分の位置を計算する。そして、この計算された位置情報を用いて通信方式データベース１０を検索する。すなわち、ホストプロセッサー２０は、受信信号の各種パラメータを用いて計算された位置情報に該当する通信方式を、通信方式データベースから探す。
【０１１６】
また、ホストプロセッサー２０は、手動切換方式を支援するために使用者に通信方式を切り換えるか否かを聞き、使用者の応答に基づいて通信方式の切換動作を遂行するためのアプリケーション（ａｐｐｌｉｃａｔｉｏｎ）を備える。
【０１１７】
図８は、本発明の他の実施形態による多重モード移動端末機の構成を示すブロックダイアグラムである。
【０１１８】
本発明の多重モード移動端末機は、複数の通信方式を支援する各種の通信モードにおいて動作し、したがって、図８に示すように、各通信モードに基づいて動作する通信方式別送受信回路４１０〜４３０を備える。
【０１１９】
また、多重モード移動端末機は、通信方式送受信回路４１０〜４３０をそれぞれ制御する複数のクライアントプロセッサー３００〜３２０を備える。
【０１２０】
ここで、各通信方式別送受信回路４１０〜４３０は、高周波周波数（ＲＦ）と中間周波数（ＩＦ）信号を処理し、各通信方式別クライアントプロセッサー３００〜３２０は基底帯域周波数（ＢＦ）信号を処理する。
【０１２１】
また、多重モード移動端末機は、ＧＰＳ衛星から自分の位置情報を受信する位置情報受信回路５００を備える。
【０１２２】
また、多重モード移動端末機は、図３ａ及び図３ｂに示すように各位置別通信方式の設定情報を格納する通信方式データベース１００をさらに備える。
【０１２３】
そして、多重モード移動端末機は、現在自分の位置情報に基づいて通信方式を選択し、この選択された通信方式によってクライアントプロセッサー３００〜３２０を制御するホストプロセッサー２０を備える。
【０１２４】
このように構成された多重モード移動端末機の通信方式切換動作について説明すると、次の通りになる。位置情報受信回路５００は、ＧＰＳ衛星から多重モード移動端末機の位置情報を受信してホストプロセッサー２００に伝達する。
【０１２５】
ホストプロセッサー２００は、位置情報受信回路５００から送られてきた位置情報を用いて通信方式データベース１００を検索する。すなわち、ホストプロセッサー２００は、入力された位置情報に該当する通信方式を、通信方式データベース１００から探す。
【０１２６】
また、ホストプロセッサー２００は、位置情報受信回路５００による位置情報を利用できない場合、すなわち、多重モード移動端末機がＧＰＳ衛星から位置情報を受信できない所に位置するとき、現在駆動中の送受信回路から入力される信号の各種パラメータら（受信信号の強度、受信信号の到達時間（ＴＯＡ）、受信信号の到達時間差（ＴＤＯＡ）、受信信号の到達角（ＡＯＡ）など）を、クライアントプロセッサーから受け取って自分の位置を計算する。そして、この計算された位置情報を用いて通信方式データベース１００を検索する。すなわち、ホストプロセッサー２００は、受信信号の各種パラメータを用いて計算された位置情報に該当する通信方式を、通信方式データベース１００から探す。
【０１２７】
このとき、ホストプロセッサー２００は、通信方式データベースから検索された通信方式の送受信経路がアクティブ（ａｃｔｉｖｅ）状態なのかを確認する。
【０１２８】
通信方式データベースから検索された通信方式の送受信経路がアクティブ状態であると、ホストプロセッサー２００は、通信方式の切換動作を遂行しない。
【０１２９】
一方、通信方式データベースから検索された通信方式の送受信経路がインアクティブ（ｉｎａｃｔｉｖｅ）状態であると、ホストプロセッサー２００は、該当送受信経路のクライアントプロセッサーに制御信号を提供し、アクティブ状態への切換を命令する。その後、以前にアクティブ状態だった送受信経路のクライアントプロセッサーには、インアクティブ状態への切換を命令する制御信号を送る。
【０１３０】
例えば、現在第１通信方式送受信経路がアクティブ状態であり、通信方式データベースから検索された通信方式が、第２通信方式であると、ホストプロセッサー２００は、第２送受信経路をアクティブ状態に切り換えるための制御信号を、第２クライアントプロセッサー３１０に送る。こうすると、第２クライアントプロセッサー３１０は、第２通信方式送受信回路４２０を駆動させる。同時にホストプロセッサー２００は、第１送受信経路をインアクティブ状態に切り換えるための制御信号を、第１クライアントプロセッサー３００に送る。こうすると、第１クライアントプロセッサー３００は、第１通信方式送受信回路４１０の駆動を停止させる。
【０１３１】
また、本発明のホストプロセッサー２００は、あまりにも頻繁に通信方式の切換が発生するのを防ぐために内部タイマーをさらに備え、この内部タイマーの駆動時間内には現在アクティブ状態の送受信経路を他の送受信経路へ切り換える動作を禁ずる。
【０１３２】
以上から説明してきた内容に基づいて本発明の技術的思想を逸脱しない範囲内で様々な変更及び置換が可能であることは、当業者にとっては明らかである。したがって、本発明の技術的範囲は、上記の実施形態に記載された内容によって定められてはいけなく、特許請求の範囲によって定められるべきである。
【０１３３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１３４】
通信システムにおいて、複数の通信サービスの支援のために通信モードの切換が可能な多重モード移動端末機とその位置情報を用いた通信サービス切換方法を提供する。
【０１３５】
各種の通信システムが混在する通信環境において多重モード移動端末機が自分の位置情報を用いて最適の通信サービスに切り換えるようにする方法とその多重モード移動端末機を提供する。
【図面の簡単な説明】
【０１３６】
【図１】従来技術において通信サービスの自動切換方式を示すフローチャートである。
【図２】従来技術において通信サービスの手動切換方式を示すフローチャートである。
【図３Ａ】本発明において位置座標による位置インデックス設定例を示す図である。
【図３Ｂ】図３ａの位置インデックスを用いた通信方式データベースの構築例を示す図である。
【図４】本発明の第１実施形態による位置情報を用いた通信方式切換手順を示すフローチャートである。
【図５】本発明の第２実施形態による位置情報を用いた通信方式切換手順を示すフローチャートである。
【図６】本発明の第３実施形態による位置情報を用いた通信方式切換手順を示すフローチャートである。
【図７】本発明の一実施の形態による多重モード移動端末機の構成を示すブロックダイアグラムである。
【図８】本発明の他の実施形態による多重モード移動端末機の構成を示すブロックダイアグラムである。
【図１】
2006014317.tif 000003
【図２】
2006014317.tif 000004
【図３Ａ】
2006014317.tif 000005
【図３Ｂ】
2006014317.tif 000006
【図４】
2006014317.tif 000007
【図５】
2006014317.tif 000008
【図６】
2006014317.tif 000009
【図７】
2006014317.tif 000010
【図８】
2006014317.tif 000011